(57)【要約】【課題】  押しボタンによる一回の吐出操作の手加減で所望量の内容物が吐出できるとともに、内容物の収容効率の高い、簡便にして安価な容器にする。【解決手段】  内容物Ｎを収納する有底筒状の容器本体１と、中心に前記内容物Ｎが通過する通路１５が穿設された軸管１４を立設し前記容器本体１の内周壁２に摺動するピストン部材１０と、前記ピストン部材１０の上部に一体的に嵌着され前記通路１５と連通する吐出口２６を有する押しボタン２５と、前記ピストン部材１０を前記容器本体１から抜け出し不能に前記容器本体１の口部３に嵌着する肩カバー４０と、を有して成り、前記ピストン部材１０の下降に伴って前記吐出口２６から内容物Ｎを吐出するようにした。また、  ピストン部材１０を、容器本体１の内周壁２に摺動する第１摺動筒２０と、前記第１摺動筒２０の内周壁２に摺動可能して且つ抜け出し不能に組み込まれた第２摺動筒２２とで伸縮可能に構成することが好ましい。【選択図】      図１
2007112478.tif 000002
【特許請求の範囲】
【請求項１】
内容物を収納する有底筒状の容器本体と、中心に前記内容物が通過する通路が穿設された軸管を立設し前記容器本体の内周壁に摺動するピストン部材と、前記ピストン部材の上部に一体的に嵌着され前記通路と連通する吐出口を有する押しボタンと、前記ピストン部材を前記容器本体から抜け出し不能に前記容器本体の口部に嵌着する肩カバーと、を有して成り、前記ピストン部材の下降に伴って前記吐出口から内容物を吐出するようにしたことを特徴とする吐出容器。
【請求項２】
ピストン部材を、容器本体の内周壁に摺動する第１摺動筒と、中心に押しボタンの吐出口に連通する通路を穿設した軸管が立設され前記第１摺動筒の内周壁に摺動可能して且つ抜け出し不能に組み込まれた第２摺動筒とで伸縮可能に構成したことを特徴とする請求項１記載の吐出容器。
【請求項３】
押しボタンの内部に、押しボタンの操作で吐出口の開閉を吐出口の口元で自動的に行うバルブ機構を設けたことを特徴とする請求項１又は請求項２記載の吐出容器。
【発明の詳細な説明】
【技術分野】
【０００１】
本発明は、クリームや整髪料、液体ファンデーション、軟膏のような流動性の物質を液密に収納し、押し釦を押し下げることにより内容物を適量取り出すようにした吐出容器に関する。
【背景技術】
【０００２】
従来より、消費者が使い易いことから、吐出口を有する押し釦を押し下げることによりピストンを作動させ、容器に充填された流動性の内容物をピストンの圧力により吐出させるタイプの吐出容器が多数提案されている。
【０００３】
このような押し釦付きの吐出容器として、例えば、実開平８−１１７５号公報には、流動性物質を収納した容器本体の上部に押し釦により作動するポンプ機構を備えてものが開示されている。
【０００４】
この吐出容器は、その押し釦を押し下げると、押し釦の吐出口に連通するバルブ孔が開通すると共に、ピストンの圧力によりポンプ機構のシリンダ内にある一定量の内容物が押し釦の吐出口から吐出する。押し釦の押圧をやめることにより、スプリングの力で押し釦が上昇すると、バルブ孔が閉鎖すると共にピストンの上昇に伴い発生する負圧によりポンプ機構のシリンダ内に充填物が吸引され、同時に容器本体の摺動底壁も、内容物が吐出された容量の分上昇する。
【０００５】
上記の操作を繰り返すことにより、１ストローク毎に一定量の内容物を吐出させるものである。
【特許文献１】実開平８−１１７５号公報
【発明の開示】
【発明が解決しようとする課題】
【０００６】
この吐出容器は、押し釦を押すだけで内容物を取り出せるので極めて使い勝手のよい吐出容器であるが、ポンプ機構や摺動底壁を備えているので、機構が複雑で組立工数も多く、このため高価な容器になってしまう欠点を有している。
【０００７】
また、この吐出容器は、押し釦の１ストロークの作動で吐出される内容物の量がポンプ機構のシリンダの容量で規制されていることから、吐出操作の手加減で内容物を適当量だけ吐出させることができず、従って、小形に設計された容器では、押し釦の１ストロークの吐出量が少ないものになり、所望の吐出量を得る為には、押し釦の操作を何度も繰り返さなければならない不便さがある。
【０００８】
また、この吐出容器は、使用すると内部の栓が上昇する機構であるので、内容量の使用した具合が判らないうえに、ポンプ機構を容器本体の内部に装備した構成であるので、その分容器本体内のスペースが取られる為、容器本体に充填する内容物の収容スペースの効率が低く、容器の見かけの大きさの割には収納内容物の少ない商品となり、化粧品のように携帯性が求められる小形の商品には不利である。
【０００９】
本発明は、上記の問題に鑑みてなされたもので、一回の吐出操作の手加減で所望量の内容物が吐出できるとともに、内容物の収容効率の高い、簡便にして安価な容器にすることを課題にしている。
【課題を解決するための手段】
【００１０】
本発明は、上記の問題を解決する為に、内容物を収納する有底筒状の容器本体と、前記内容物が通過する通路が穿設された軸管を立設し前記容器本体の内周壁に摺動するピストン部材と、前記ピストン部材の上部に一体的に嵌着され前記通路と連通する吐出口を有する押しボタンと、前記ピストン部材を前記容器本体から抜け出し不能に前記容器本体の口部に嵌着する肩カバーと、を有して成り、前記ピストン部材の下降に伴って前記吐出口から内容物を吐出するようにした。
【００１１】
ピストン部材を、容器本体の内周壁に摺動する第１摺動筒と、中心に押しボタンの吐出口に連通する通路を穿設した軸管が立設され前記第１摺動筒の内周壁に摺動可能して且つ抜け出し不能に組み込まれた第２摺動筒とで伸縮可能に構成することが好ましい。
【００１２】
押しボタンの内部に、押しボタンの操作で吐出口の開閉を吐出口の口元で自動的に行うバルブ機構を設けるとよい。
【発明の効果】
【００１３】
本発明の吐出容器によれば、従来の吐出容器のように、容器本体の内部に、押しボタンを操作することによって作動するポンプ機構や、内容物の通路の開閉弁が装備されてないので、その分、容器本体内の収容スペースが大きくなり、容器本体に充填される内容物の収容スペースの効率を高くすることができる。また、この種の容器としては、部品点数も少なく組み立ても容易であるので、安価に提供することができる。
【００１４】
また、ピストン部材を、第１摺動筒と、この第１摺動筒の内周壁に摺動可能に組み込まれた第１摺動筒とで伸縮可能に構成することにより、充填する内容物の収容スペースの効率が更に高くなり、化粧品容器のように携帯性や小形化が希求される商品には極めて有利である。
【発明を実施するための最良の形態】
【００１５】
以下、本発明の吐出容器の好適な実施の形態を、図面を参照しながら詳細に説明する。
【００１６】
図１乃至図３は、本発明の吐出容器の第１の実施の形態を示しており、図１に
示すように、この実施の形態の吐出容器は、内容物Ｎを収納する有底筒状の容器本体１と、内容物Ｎを押し出す為に容器本体１の内壁２に摺動するピストン部材１０と、このピストン部材１０の上部に一体的に嵌着され内容物Ｎの吐出口２６を有する押しボタン２５と、ピストン部材１０を容器本体１から抜け出し不能に容器本体１の口部３に嵌着する肩カバー４０と、吐出口２６を閉塞する口蓋５０と、ピストン部材１０を被覆する蓋体５３とから構成されている。
【００１７】
容器本体１は、クリームや整髪料、液体ファンデーション、軟膏のような流動性の内容物を液密に収納する広口のジャーであり、その口部３の内周壁には、肩カバー４０が係合するアンダーカット係合用の周溝４が形成されている。この容器本体１は、ＳＡＮ、ＰＳ、ＰＰ、ＡＢＳ、ＰＥＴ等、汎用合成樹脂を用いて成形されている。
【００１８】
容器本体１に摺動可能に組み込まれるピストン部材１０は、下端部の外周に容器本体１の内周壁２と摺動するフランジ状の摺動部１２を設けた筒状部１１と、この筒状部１１の下端の面板部１３と、この面板部１３の中心に立設された軸管１４とから成る。
【００１９】
筒状部１１の上端部内周面には、押しボタン２５と掛止する為の突起１１ａが形成され、摺動部１２には、ピストンリング１６が装着されている。また、軸管１４には、押しボタン２５の吐出口２６に連通する内容物Ｎの通路１５が穿設されており、軸管１４の上端は、押しボタン２５の縦通路２７と嵌合する小径部１４ａとなっている。
【００２０】
押しボタン２５は、その周壁２８の上部に、縦通路２７に連通する横通路２９が穿設されたノズル３０が突設されており、ノズル３０の先端には吐出口２６が開設されている。また、周壁２８の下端部には、押しボタン２５が嵌着してピストン部材１０の上端を閉塞するフランジ３１が形成されており、フランジ３１の下面には、ピストン部材１０に嵌挿する環状部３２が垂設され、環状部３２には筒状部１１の突起１１ａと掛合する周溝３２ａが設けられている。
【００２１】
肩カバー４０は、その内周面の直径がピストン部材１０の筒状部１１の直径と同寸の略輪状に形成されており、容器本体１の口部３に嵌挿され容器本体１の周溝４と掛合する突起４１ａが突設された嵌挿部４１と、容器本体１の口端に接するフランジ部４２と、フランジ部４２の上面に立設され蓋体５３が嵌合する口筒部４３とから成り、容器本体１からピストン部材１０が抜け出すのを阻止している。また、口筒部４３の外周面には、図３に示すように、内容物Ｎの充填作業の際に、押さえ治具の爪Ｇを受け入れる周溝４４が刻設されている。
【００２２】
この吐出容器を組み立てるには、図２に示すように、予め、押しボタン２５を嵌着したピストン部材１０を容器本体１の底５に至る迄挿入し、肩カバー４０を容器本体１の口部３に押し込むことにより、ピストン部材１０を抜け出し不能に組み付ける。
【００２３】
内容物Ｎを充填するときは、図３に示すように、肩カバー４０の周溝４４に押さえ治具の爪Ｇを掛けて容器を押さえ、充填機のノズルＫと押しボタン２５のノズル３０を合わせて、内容物Ｎを押しボタン２５の吐出口２６から圧入する。
【００２４】
内容物Ｎを圧入する直前に、バキュームにより容器内を不圧に保つことが望ましく、内容物Ｎの圧入により、内容物Ｎは押しボタン２５の通路２９，２７から軸管１４の通路１５を通ってピストン部材１０を上昇させながら容器本体１に充填され、更に押しボタン２５の吐出口２６まで充填される。
【００２５】
したがって、押しボタン２５を押せば、直ちに内容物Ｎが吐出するとともに、ピストン部材１０を下降させる一回の吐出操作の手加減で、所望量の内容物を吐出させることができる。
【００２６】
尚、内容物Ｎの充填方法は上記の方法に限るものではなく、容器を組み立てる前に容器本体１に内容物Ｎを充填し、次にピストン部材１０を組み付けてもよい。
【００２７】
図４以下は、別の実施の形態を示しており、容器の基本的形態は先の実施の形態と同様であるので、共通する部分については同一符号を付し、その説明を省略する。
【００２８】
図４乃至図１０は、本発明の吐出容器の第２の実施の形態を示しており、押し釦２５ａの内部にバルブ機構３５を設け、押しボタン２５ａの操作に伴って吐出口２６ａの口元でバルブ機構３５の開閉を行うことで、吐出口２６ａを閉塞する為の口蓋を不要としたものである。
【００２９】
本実施の形態において使用される押し釦２５ａは、図７に示すように、バルブ機構３５を内装し、ピストン部材１０の軸管１４に嵌着し軸管１４の通路１５に連通する通孔３３ａが穿設された基台３３と、この基台３３に上下方向へ摺動可能に被嵌し、内部に前記バルブ機構３５に作用するカム板３４ａを設けたカバ体ー３４とで構成されている。
【００３０】
バルブ機構は３５は、吐出口２６ａが穿孔され先端部を押し釦２５ａの切欠溝３４ｂから突出して装着されたノズル３６と、ノズル３６の内側に前後方向へ移動可能に配置され吐出口２６ａをノズル３６の内側から開閉する弁部材３７と、弁部材３７を吐出口２６ａの閉方向へ付勢すると共に、カム板３４ａが接する弁部材３７後端の傾斜面３７ａを介してカバー体３４を基台３３の上方位置に保持するスプリング３８とで構成されている。
【００３１】
また、本実施の形態にあっては、押しボタン２５ａをピストン部材１０の筒状部１１ａの内側に位置させる構成としたので、図５に示すように、筒状部１１ａの上端部にはノズル３６が突出する切欠溝１７が設けられ、組み付けられた押しボタン２５ａの頂部が筒状部１１ａの上端から僅かに突出している。
【００３２】
この容器は、押しボタン２５ａを下方に押して、そのカバー体３４をスプリング３８の力に抗して押し下げると、カバー体３４のカム板３４ａが弁部材３７の傾斜面３７ａに摺動して下降し、弁部材３７を後退させることにより、ノズル３６の吐出口２６ａが開通してバルブ機構３５が開放状態となる。また、カバー体３４を手放すと、スプリング３８の復帰力により弁部材３７が前進移動して吐出口２６ａが閉鎖されると共に、カバー体３４が元の位置に上昇する。
【００３３】
したがって、使用者が押し釦２５ａのカバー体３４を押すと、バルブ機構３５のノズル３６の吐出口２６ａが口元で開通し、更に押し釦２５ａを押すと、ピストン部材１０が下降して容器本体１内の内容物Ｎを圧迫し、内容物Ｎは軸管１４の通路１５から押し釦２５ａの通孔３３ａを通って吐出口２６ａから吐出される。
【００３４】
この容器にあっては、バルブ機構３５により吐出口２６ａの口元で開閉を行うようにしたので、ノズル３０の口蓋をしなくても、外気による内容物Ｎの乾燥や腐敗を防止することができる。
【００３５】
尚、この実施の形態では、図９に示すように、肩カバー４０を、篏挿部４１と、フランジ部４２と、口筒部４３とから成る第１の実施の形態で用いた肩カバー４０を用いてもよい。
【００３６】
また、内容物Ｎを充填するときは、図１０に示すように、軸管１４に押しボタン２５ａを取付ける前に、充填機のノズルＫをピストン部材１０の軸管１４に合わせて、軸管１４の通路１５から直接充填することが好ましい。
【００３７】
図１１乃至図１３は、本発明の吐出容器の第３の実施の形態を示しており、この容器に使用するピストン部材１０ａは、容器本体１の内周壁２に摺動する第１摺動筒２０と、前記第１摺動筒２０の内周壁２０ａに摺動可能に第１摺動筒２０にして且つ抜け出し不能に組み込まれた第２摺動筒２２とで、縦方向へ伸縮可能に構成されており、第２摺動筒２２の中心には、押しボタン２５の吐出口２６に連通する通路１５を穿設した軸管１４が立設されている。
【００３８】
第１摺動筒２０の下端には、ピストンリング１６を装着した摺動部１２が形成され、上端には第２摺動筒２２の抜け出しを阻止する為の内向突起２１が形成されている。また、第２摺動筒２２の下端にもピストンリング１６ａが装着され、外周面には第１摺動筒２０の内向突起２１に当接する上向段部２３が形成されている。
【００３９】
この吐出容器を組み立てるには、図１２に示すように、第１摺動筒２０の下方から第２摺動筒２２を挿入して伸縮性のピストン部材１０ａを組み立ててから、第２摺動筒２２の上端に押しボタン２５を嵌着させ、予め、押しボタン２５を嵌着したピストン部材１０ａを容器本体１の底５に至る迄挿入し、肩カバー４０ａを容器本体１の口部３に外嵌することにより、収縮した状態のピストン部材１０ａを抜け出し不能に組み付ける。
【００４０】
この吐出容器に内容物Ｎを充填するときは、図１３に示すように、肩カバー４０ａの上面４５に押さえ治具の爪Ｇを掛けて容器を押さえ、充填機のノズルＫと押しボタン２５のノズル３０を合わせて、バキュームにより容器内を不圧にし、内容物Ｎを押しボタン２５の吐出口２６から圧入する。
【００４１】
充填される内容物Ｎの圧力を受けて、ピストン部材１０ａ全体が第１摺動筒２０の上死点まで上昇し、更に内容物Ｎを圧入することにより、第２摺動筒２２がその上死点まで上昇し、内容物Ｎは、容器本体１のみならず、第１摺動筒２０から押しボタン２５の吐出口２６まで充填される。
【００４２】
したがって、充填する内容物Ｎの収容スペースの効率が高く、容器が小形化される。また、押しボタン２５を押すと、ピストン部材１０ａが収縮して、直ちに内容物Ｎが吐出するので、使い易いうえに携帯性に優れている。
【００４３】
図１４は、本発明の吐出容器の第４の実施の形態を示しており、この容器は、上述した伸縮可能なピストン部材１０ａに、既述した吐出口２６ａの口元で開閉するバルブ機構を内装した押し釦３５ａを嵌着して構成したものである。
【００４４】
したがって、この容器は、内容物Ｎを容器本体１のみならず、第１摺動筒２０の内部にまで充填できるので、内容物Ｎの収容スペースの効率が高いうえに、ノズル３６を閉塞する為の口蓋が不要となり、使い勝手が向上する。また、使い切るとピストン部材が１０ａが容器本体１内に押し込まれるので、小さくして廃棄できる。
【図面の簡単な説明】
【００４５】
【図１】本発明の吐出容器における第１の実施の形態を示す断面図。
【図２】図１の容器の内容物を充填する以前の状態を示す断面図。
【図３】図１の容器の内容物を充填している作業中の状態を示す断面図。
【図４】本発明の吐出容器における第２の実施の形態を、一部を断面として示す正面図。
【図５】図４の容器を示す斜視図。
【図６】図４の容器に使用される押しボタンを示す斜視図。
【図７】図６の押しボタンを拡大して示す従断面図。
【図８】図７に示す押しボタンの作動中の状態を示す縦断面図。
【図９】別の肩カバーを使用した例の説明図。
【図１０】充填方法の説明図。
【図１１】本発明の吐出容器における第３の実施の形態を示す断面図。
【図１２】図１１の容器の内容物を充填する以前の状態を示す断面図。
【図１３】図１１の容器の内容物を充填している作業中の状態を示す断面図。
【図１４】本発明の吐出容器における第４の実施の形態を、一部を断面として示す正面図。
【符号の説明】
【００４６】
１  容器本体，２  内周壁，３  口部，１０、１０ａ  ピストン部材，１４  軸管，１５  通路，２０  第１摺動筒，２０ａ  内周壁，２２  第２摺動筒，２５、２５ａ  押しボタン，２６、２６ａ  吐出口，３５  バルブ機構，４０  肩カバー，Ｎ  内容物
【図１】
2007112478.tif 000003
【図２】
2007112478.tif 000004
【図３】
2007112478.tif 000005
【図４】
2007112478.tif 000006
【図５】
2007112478.tif 000007
【図６】
2007112478.tif 000008
【図７】
2007112478.tif 000009
【図８】
2007112478.tif 000010
【図９】
2007112478.tif 000011
【図１０】
2007112478.tif 000012
【図１１】
2007112478.tif 000013
【図１２】
2007112478.tif 000014
【図１３】
2007112478.tif 000015
【図１４】
2007112478.tif 000016